(57)【要約】    【課題】  前面投影型電子ボードにおいて、ペン入力を行う座標付近の投影画像が操作者又は入力ペンの影になって隠されてしまうような場合においても、操作者が投影画像を確認しながら所望の位置における入力操作を可能とする投影画像表示手段を備えた電子ボードシステムを提供する。    【解決手段】  制御用コンピュータ２は、投影画像の一部領域における複製画像をサブウィンドウ内に表示する処理を行う。図２（ａ）に示すように、ペン入力がされる前の投影画像データ２００ではサブウィンドウは表示されていない。図２（ｂ）に示すように、ペン入力後の表示データ２１０では、入力ペン５のペン先の位置座標（入力座標）２１１を含む複製範囲２１２における複製画像２１３を、サブウィンドウ２１４内に表示する。この場合、サブウィンドウ２１４内には、複製画像２１３とともに、ペン先の位置を示すアイコン２１５を表示する。    【選択図】      図２
2006085410.tif 000002
【特許請求の範囲】
【請求項１】
前面投影型電子ボードの表示手段に表示する表示データ生成手段を備えた電子ボードシステムにおいて、
前記表示データ生成手段は、
前記表示手段上における入力ペンのペン先の位置情報を取得して、当該位置情報に示す座標を含む所定の複製範囲を決定する複製範囲決定手段と、前記複製範囲における複製画像を生成する複製画像生成手段と、前記表示手段上の所定位置に表示されたサブウィンドウ内に前記複製画像を表示するサブウィンドウ表示手段と
を備えることを特徴とする電子ボードシステム。
【請求項２】
前記複製範囲決定手段は、サブウィンドウ内に複製画像が表示されているときに、入力ペンのペン先の位置情報に示す座標が、前記複製範囲内に設定された所定領域から外れた場合に、前記複製範囲の変更を行う手段を備えることを特徴とする請求項１に記載の電子ボードシステム。
【発明の詳細な説明】
【技術分野】
【０００１】
本発明は、前面投影型電子ボードにおける投影画像を生成する表示データ生成手段を備えた電子ボードシステムに関し、特に、電子ボードの表示部上のサブウィンドウ内に、表示画面の一部を表示する手段に関する。
【背景技術】
【０００２】
従来より、電子ボードと呼ばれる製品として、パーソナルコンピュータ等の操作画面をプロジェクター等の投影装置によりボード上に映し出し、投影画面上でタッチペンなどによる操作を可能とした前面投影型電子ボードが知られている。このような前面投影型電子ボードについては、投影装置と電子ボードとの間に操作者が位置することとなるため、操作者の影によりボード上の一部に投影画面が表示されないこととなっていた。
一方、タッチパネル等において、入力中の図形等がペン先によって隠されてしまうことを防止するための方法として、従来、実際のペン先の座標に対し、入力された図形等の表示位置をずらすこととしたペン入力支援方法が公知となっている（例えば、特許文献１参照。）。
【０００３】
【特許文献１】特開平６−１３１１２０号公報
【発明の開示】
【発明が解決しようとする課題】
【０００４】
しかし、前記特許文献１に記載の方法では、ペン先によって入力中の点や線の一部が隠されることを防ぎ、入力中の点を見ながらペン入力することが可能となるが、ペン先の座標と表示位置とがずれているため、操作者が図形等の描画を希望する位置とは異なる位置に図形の描画等が行われることとなり、入力操作において操作者が違和感を感じるという問題があった。
また、前記特許文献１の構成は、前面投影型電子ボードを考慮したものではないため、メニュー選択領域ではペン先の座標と入力座標とを一致させることとしているが、前面投影型電子ボードの場合には、メニュー選択領域においても操作者の影に隠れて見えなくなることがあり、所望のメニュー選択操作を行うことが困難となるという問題があった。
【０００５】
本発明は前記課題を解決するためのものであり、前面投影型電子ボードにおいて、ペン入力を行う座標付近の投影画像が操作者又は入力ペンの影になって隠されてしまうような場合においても、操作者が投影画像を確認しながら所望の位置における入力操作を可能とする投影画像表示手段を備えた電子ボードシステムを提供することを目的とする。
【課題を解決するための手段】
【０００６】
前記課題を解決するため、本発明に係る電子ボードシステムは、前面投影型電子ボードの表示手段に表示する表示データ生成手段を備えた電子ボードシステムにおいて、前記表示データ生成手段は、前記表示手段上における入力ペンのペン先の位置情報を取得して、当該位置情報に示す座標を含む所定の複製範囲を決定する複製範囲決定手段と、前記複製範囲における複製画像を生成する複製画像生成手段と、前記表示手段上の所定位置に表示されたサブウィンドウ内に前記複製画像を表示するサブウィンドウ表示手段とを備えることを特徴とする。
また、前記複製範囲決定手段は、サブウィンドウ内に複製画像が表示されているときに、入力ペンのペン先の位置情報に示す座標が、前記複製範囲内に設定された所定領域から外れた場合に、前記複製範囲の変更を行う手段を備えることを特徴とする。
【発明の効果】
【０００７】
以上の構成により本発明では、電子ボード上でのペン先の位置情報を取得し、当該位置情報を含む所定範囲の複製画像をサブウィンドウ内に表示することとしたので、実際の入力座標付近の投影画像が操作者やペンの影で見えなくなってしまった場合においても、操作者は実際のペン先付近の画像をサブウィンドウで確認しながらペン入力を行うことが可能となる。しかも、実際に入力される位置はペンでタッチした物理的な座標と一致しているため、操作者が違和感を感じることなく、所望の位置への入力操作を行うことが可能となる。
また、サブウィンドウ内に複製画像が表示されているときに、ペンの入力座標が所定領域外となった場合に複製範囲の変更を行うこととしたので、連続してペン入力が行われる場合に、サブウィンドウ内に表示されている複製画像が連続して変化し続けることを防止することができ、操作者にとって見やすい複製画像を表示することが可能となる。
【発明を実施するための最良の形態】
【０００８】
以下、本発明の一実施の形態に係る電子ボードシステムについて、図面に基づき説明する。
図１は、本発明の一実施に係る電子ボードシステムの概略構成を示す図である。
本実施の形態に係る電子ボードシステムは、投影画像を表示する電子ボード１と、電子ボード１における入力操作に対応する処理を行い、投影画像データを生成する制御用コンピュータ２と、制御用コンピュータ２により生成された投影画像を電子ボード１に投影するプロジェクター等の表示データ投影装置３とを備える。
電子ボード１は、投影画像を表示する表示部４と、表示部４において入力操作を行うための入力ペン５と、入力ペン５のペン先の座標取得装置としてのペンセンサ６とを有する。
制御用コンピュータ２は、ペンセンサ６の取得したペン先の位置座標に基づく入力データ処理を行う入力データ処理部７と、入力データ処理部７の処理結果に基づき投影画像データを生成する表示データ生成部８とを有する。
本実施の形態では、図２に示すように、制御用コンピュータ２により、投影画像の一部領域における複製画像をサブウィンドウ内に表示する処理が行われる。
図２（ａ）に示すように、ペン入力がされる前の投影画像データ２００ではサブウィンドウは表示されていない。図２（ｂ）に示すように、ペン入力後の表示データ２１０では、入力ペン５のペン先の位置座標（以下、「入力座標」とする。）２１１を含む複製範囲２１２における複製画像２１３を、サブウィンドウ２１４内に表示する。この場合、サブウィンドウ２１４内には、複製画像２１３とともに、ペン先の位置を示すアイコン２１５を表示する。
【０００９】
図３は、電子ボードの表示部にサブウィンドウを表示した例を示す図である。
図３に示すように、前面投影型電子ボードの場合には、表示データ投影装置３から投影された画像の一部が、操作者Ｓ又は入力ペン５の影Ｓａにより隠されてしまうこととなるため、表示部４上の所定位置に表示したサブウィンドウ４ａに複製画像を表示している。
【００１０】
以下、本実施の形態に係る電子ボードシステムにおけるサブウィンドウ表示制御処理について説明する。
図４は、電子ボードシステムの行うサブウィンドウ表示制御処理手順を示すフローチャートである。
まず、入力データ処理部７がペンセンサ６の取得した入力座標を受付け、表示データ生成部８に渡す（ステップ４０１）。この場合、入力座標の取得は、入力ペンのペン先が表示部４上にペンダウンされた状態、または、表示部４上に近接した状態をペンセンサ６が検知したときに行うものとする。
表示データ生成部８は、後述する複製範囲指定処理を行い（ステップ４０２）、指定された複製範囲の複製画像の生成（ステップ４０３）及びサブウィンドウの表示を行うとともに（ステップ４０４）、タイマカウントを開始する（ステップ４０５）。
タイマカウント後に、入力データ処理部７が入力座標を受付けたか否かを判定し（ステップ４０６）、入力座標を受付けた場合には、タイマカウントをリセットした後（ステップ４０７）、再度、複製範囲指定処理及びサブウィンドウ生成，表示を行い（ステップ４０２〜４０４）、タイマカウントを開始する（ステップ４０５）。
入力座標の受付けの監視を一定時間継続し（ステップ４０７）、タイムアウトとなった場合には（ステップ４０８）、タイマカウントを停止して（ステップ４０９）、サブウィンドウを非表示とする（ステップ４１０）。
以上の処理により、ペン入力操作に応じて、必要なときにだけサブウィンドウを表示するものとしている。
【００１１】
図５は、表示データ生成部８の行う複製範囲指定処理（ステップ４０２）の詳細として、複製範囲の中心座標のｘ座標を決定する処理手順を示すフローチャートである。本フローチャートでは、Ｘ０は現在の複製範囲の中心座標のｘ座標（旧中心座標）、Ｘ０´は新たな複製範囲の中心座標のｘ座標（新中心座標）を、Ｘは入力座標を、Ｘ１，Ｘ２は複製範囲を移動するか否かを判定する基準座標を示す。
複製範囲指定処理では、まず、現在サブウィンドウが表示中であるか否かを判定し（ステップ５０１）、サブウィンドウが表示中でなければ、入力ペン座標Ｘを新中心座標Ｘ０´とする（ステップ５０２）。
サブウィンドウが表示中の場合には、入力座標Ｘが基準座標Ｘ１〜Ｘ２の範囲内であるか否かを判定し（ステップ５０３）、範囲内であれば、旧中心座標Ｘ０をそのまま新中心座標Ｘ０´とする（ステップ５０４）。
一方、入力座標Ｘが基準座標Ｘ１〜Ｘ２の範囲内でない場合には、Ｘが基準値Ｘ１よりも小さいか否かを判定し（ステップ５０５）、Ｘ１よりも小さい場合には、Ｘ０−（Ｘ１−Ｘ）で計算される位置座標を新中心座標Ｘ０´とする（ステップ５０６）。
Ｘが基準値Ｘ２よりも大きい場合には、Ｘ０＋（Ｘ−Ｘ２）で計算される位置座標を新中心座標Ｘ０´とする（ステップ５０７）。
以上の処理により、新たな複製範囲の中心座標のｘ座標を決定する。また、新たな複製範囲の中心座標のｙ座標についても、同様の処理により決定し、各処理に基づき決定された中心座標を基準として、新たな複製範囲を決定する。即ち、入力座標がＸ１，Ｘ２及びＹ１，Ｙ２の各基準座標で区切られた所定領域外であった場合に、複製範囲の変更を行うこととしている。
【００１２】
以上の複製範囲の決定処理について具体例に基づき説明する。図６は電子ボード６００上の座標と表示部４に表示された投影画像６０１上の座標の関係について説明するための図であり、図７は入力ペン座標と複製範囲の変化との関係を示し、図８は入力ペン操作に応じた複製範囲及び複製画像の変化の具体例を示している。
図６に示すように、入力データ処理部７では、入力データ処理部７が電子ボード６００上の入力座標（ｘ，ｙ）を投影画像６０１上の座標（Ｘ，Ｙ）に変換して、表示データ生成部８に渡す。
図７（ａ），（ｂ）に示すように、複製範囲７１０，７２０に対しては、中心座標７１１，７２１（Ｘ０，Ｙ０）を基準とした、基準座標Ｘ１，Ｘ２，Ｙ１，Ｙ２が設定されている。
この場合、図７（ａ）に示すように、入力座標７１２（Ｘ，Ｙ）が基準座標Ｘ１，Ｘ２，Ｙ１，Ｙ２で区切られた所定領域内にあれば、複製範囲はそのままとする。
一方、図７（ｂ）に示すように、入力座標７２２（Ｘ，Ｙ）が基準座標Ｘ１，Ｘ２，Ｙ１，Ｙ２で区切られた所定領域外であった場合には、前述した計算式により新中心座標７２３（Ｘ０´，Ｙ０´）を計算して、新たな複製範囲７２４を決定することとなる。
次に、図８（ａ）に示すように、三角形８００を描画する場合の複製範囲の変化について説明する。
図８（ｂ）は入力座標（Ｘ，Ｙ）をそのまま新中心座標（Ｘ０´，Ｙ０´）として複製範囲を変化させた場合のサブウィンドウ内の表示例を示し、図８（ｃ）は図５のフローチャートに示す処理により複製範囲を変化させた場合のサブウィンドウ内の表示例を示す。
図８（ｂ）に示すように、入力座標（Ｘ，Ｙ）をそのまま新中心座標（Ｘ０´，Ｙ０´）とした場合、入力ペン操作に応じて、サブウィンドウ内の表示される範囲が常に変化することとなる。
一方、図８（ｃ）に示すように、図５のフローチャートに示す処理により複製範囲を変化させた場合には、サブウィンドウ内に表示される範囲の変化量が少なくなる。
【００１３】
図９は、表示部４上におけるサブウィンドウの配置を示す図である。
本実施の形態では、表示部を横方向に複数の領域で分割し、入力座標の存在する領域以外の領域にサブウィンドウを配置して表示するものとする。
例えば、表示部４を横方向の中心位置で２つの領域に分割し、図９（ａ）に示すように入力座標９０１が左側の領域に含まれる場合には、右側の領域にサブウィンドウ９０２を表示するものとし、図９（ｂ）に示すように入力座標９０３が右側の領域に含まれる場合には、左側の領域にサブウィンドウ９０４を表示するものとする。
なお、本例では、横方向の中心位置で２つの領域に分割することとしているが、これに限らず、縦方向に分割することとしてもよく、また、分割数を任意に設定可能としてもよい。
【００１４】
図１０は、サブウィンドウのサイズ変更の例を示す図である。
図１０に示すように、サブウィンドウ１０００のサイズは、表示部４に表示されているサブウィンドウ１０００に対する操作者のペン操作に応じて任意のサイズに拡大，縮小することが可能であり、ウィンドウサイズが変更された場合には、複製範囲１００１も新しいサブウィンドウ１０００Ａ，Ｂのサイズに対応して変化する。
【００１５】
図１１は、サブウィンドウ内に表示される複製画像の表示倍率の変更の例を示す図である。
図１１に示すように、表示倍率設定画面１１００の設定欄１１０１において複製画像の表示倍率を任意に設定することができ、設定された倍率に応じてサブウィンドウ１１０２内に表示される複製画像が拡大表示１１０２Ａ又は縮小表示１１０２Ｂされることとなる。
【００１６】
以上のように、本実施の形態に係る電子ボードシステムでは、電子ボード上でのペン先の位置情報を取得し、当該位置情報を含む所定範囲の複製画像をサブウィンドウ内に表示することとしたので、実際の入力座標付近の投影画像が操作者やペンの影で見えなくなってしまった場合においても、操作者は実際のペン先付近の画像をサブウィンドウで確認しながらペン入力を行うことが可能となる。しかも、実際に入力される位置はペンでタッチした物理的な座標と一致しているため、操作者が違和感を感じることなく、所望の位置への入力操作を行うことが可能となる。
また、電子ボード上へのペンダウンまたはペンの近接を検知した場合にのみサブウィンドウを表示し、一定時間ペンの動作が検知できない場合にはサブウィンドウを自動的に非表示にすることにより、操作者が必要な時だけサブウィンドウを表示させることが可能となり、効果的に画面領域を使用することが可能となる。
また、ペン先が電子ボード上に接近した場合においても位置情報を取得し、サブウィンドウに複製画像を表示させることにより、実際に電子ボード上にペンダウンする前に、現在のペン先の位置を確認することができるようになり、最初から的確な位置にペンダウンすることが可能となる。
また、サブウィンドウの表示位置について、ペン入力位置が画面右側座標だった場合は、画面左側座標に表示し、ペン入力位置が画面左側座標だった場合は、画面右側座標に表示することによって、サブウィンドウ自体が操作者やペンの影によって隠れてしまうことを防ぐことが可能となる。
また、サブウィンドウ内に複製画像が表示されているときに、ペンの入力座標が所定領域外となった場合に複製範囲の変更を行うこととしたので、連続してペン入力が行われる場合に、サブウィンドウ内に表示されている複製画像が連続して変化し続けることを防止することができ、操作者にとって見やすい複製画像を表示することが可能となる。
また、サブウィンドウ中に表示中の複製画像における、現在のペンの位置にアイコンを表示することにより、サブウィンドウ中にどの位置付近の画像が表示されているのかの認識が容易となる。
【００１７】
なお、本発明に係る電子ボードシステムは、前記実施の形態に示すものに限らず、同様の処理が可能であれば、種々に変更可能なものである。
例えば、複製範囲の大きさを任意に設定可能としてもよく、また、サブウィンドウのサイズ変更についても、任意に設定された数値に基づき、拡大，縮小を行うこととしてもよい。
【図面の簡単な説明】
【００１８】
【図１】本発明の一実施の形態に係る電子ボードシステム全体の概略構成を示す図である。
【図２】本発明の一実施の形態に係る電子ボードシステムによりサブウィンドウ表示を行った例を示す図である。
【図３】本発明の一実施の形態に係る電子ボードシステムによりサブウィンドウ表示を行った例を示す図である。
【図４】サブウィンドウ表示処理手順を示すフローチャートである。
【図５】複製範囲決定処理手順を示すフローチャートである。
【図６】電子ボード上の座標と投影画像上の座標との関係を説明するための図である。
【図７】複製範囲決定処理の一例を示す図である。
【図８】サブウィンドウ内に表示する複製画像の変化の一例を示す図である。
【図９】サブウィンドウの配置の一例を示す図である。
【図１０】サブウィンドウのサイズ変更の一例を示す図である。
【図１１】複製画像の表示倍率変更の一例を示す図である。
【符号の説明】
【００１９】
１  電子ボード、２  制御用コンピュータ、３  表示データ投影装置、４  表示部、５  入力ペン、６  ペンセンサ、７  入力データ処理部、８  表示データ生成部、２００  表示データ（ペン入力前）、２１０  表示データ（ペン入力後）、２１１  入力座標、２１２  複製範囲、２１３  複製画像、２１４  サブウィンドウ、２１５  アイコン。
【図１】
2006085410.tif 000003
【図２】
2006085410.tif 000004
【図３】
2006085410.tif 000005
【図４】
2006085410.tif 000006
【図５】
2006085410.tif 000007
【図６】
2006085410.tif 000008
【図７】
2006085410.tif 000009
【図８】
2006085410.tif 000010
【図９】
2006085410.tif 000011
【図１０】
2006085410.tif 000012
【図１１】
2006085410.tif 000013